(57)【要約】      （修正有）【課題】連続集格納できる為スペースを必要とせず整理整頓図れ、何時でも引出せる、医療用イルリガードル（移動式点滴スタンド台）の提供。【解決手段】座台１が一辺面欠如部２（袋部）を持ち、短高の立体トラス体型にし、互いの座台が連続連結的に入込み式にする。【選択図】図１
2006141958.tif 000002
【特許請求の範囲】
【請求項１】
使用・必要現場等にて自動的におむつパットを成型製造する小型機器で、使用素材を吸尿性もつ新聞紙・雑誌等の古紙を租粗⇒細糸⇒綿状に粉砕裁断し吸水剤を混成、熱・殺菌灯等放射、その素材を適宜幅のロール状フィルム防水材とロール不織布材にてサンドイッチ状、定厚定幅帯状に連続製法、必要長に圧熱溶着しつつ裁断若しくは、ミシン目状切筋するおむつパット自家製法の考え方・その製法器及び、身障者等の就労型リハビリ機。
【発明の詳細な説明】
【発明の詳細な説明】
【技術分野】
【０００１】  おむつ紙パンツパット・生理帯・ペット用パット敷き具等の製法・機器に関する。
【背景技術】
【０００２】  おむつパットも工場生産方式であった。
【発明の開示】
【発明が解決しようとする課題】
【０００３】  生産・流通減容等のトータルエネルギーコスト・環境・省資源化等の改善削減化。
【課題を解決するための手段】
【０００４】  各家庭・施設・地域等にあり破棄される古紙等を細糸綿状に粉砕、その素材を芯材とし吸水剤（高吸水性ポリマー）等混成配合する、省資源型コンパクト家庭地域施設用おむつパット製造器の提供にて解決図る。
【発明の効果】
【０００５】  根本的な地球環境改善化が図れ、使用コスト削減・古紙等の確実な再生化行える。
【発明を実施するための最良の形態】
【０００６】  各必要家庭もしくは、地域ボランテァ団体・諸施設にて使用される。
【実施例】
【０００７】  一実施例を図１  原理を示す写図で説明する。【０００８】  この自家  おむつパット製法器１は、古紙２等を片手粗切ローラ３にて引切後、投入口４へ入れ二本の砕刃４にて細糸状に裁断しホッパー６へ、再度綿状パルプ加工装置７（軸流すり鉢型ミキサー）で紛砕、同時に熱兼殺菌灯８放射処理と吸水ポリマー９同時混成混入、密閉定厚層搬出ダクト１０へ集積、専用ポリエチレンフィルム１１ロール（防水シート材）とロールポリプロピレン不織布１２にて熱圧着ローラ１３にて両側を溶着帯状に連続成型して必要長の定寸に、熱溶着中間横裁断ミシン目切筋部１４にて切筋１７加工、パット１５を完成させロール巻取（部）１６する、製造器である又、作業テーブル１８は左右取付可で、防水シート材・不織布も他の適宜材であっても良く又、雑誌等の綴じ止金（ホッチキス）除去は、片手にても行える専用ブックバイス１９と止金外し具２０で有る。
【産業上の利用可能性】
【０００９】  医療医学の発達・食生活改善等にて長寿命化が進み医療看護介助又、幼児育児の現場の改善・コスト削減化及び、地球環境対策等はサービス産業・製造・流通業の重要なテーマあり、確実安価なおむつパット開発等も社会的責務（医療・介護費削減含む）で有り又、一般家庭地域施設での現場リサイクル製法は不可欠的時代要請にて、本発明の考え方及び、このコンパクト機器は、従来法で製造されていた膨大なる量の資源削減化で環境に優しい資源再利用法なので、需要・期待は大きいと考える。
【図面の簡単な説明】
【００１０】
【図１】  Ａは、本発明機器を示す全体写図・Ｂは、テーブル等の折畳み時写図・Ｃは、内部構造写図である。
【符号の説明】
【００１１】１      パット製法器          １０    密閉定厚層搬出ダクト
２      古紙                  １１    ポリエチレンフィルム
３      片手租切ローラ        １２    ポリプロピレン不織布
４      投入口                １３    熱溶着ローラ
５      砕刃                  １４    熱溶置中間横裁断ミシン目切筋部
６      ホッパー              １５    パット
７      綿状パルプ加工装置    １６    ロール巻取部
８      熱兼殺菌灯            １７    ミシン目状切筋
９      吸水ポリマー          １８    作業テーブル
１９    ブックバイス
２０    止金外し具
【図１】
2006141958.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
座台部が短高立体トラス体型で、一辺面大きく欠く袋部もち、下縁端部に三以上複数個のキャスター有した集格納型イルリガードル台。
【手続補正３】
【補正対象書類名】明細書
【補正対象項目名】全文
【補正方法】変更
【補正の内容】
【発明の詳細な説明】
【技術分野】
【０００１】
医療用イルリガードル（移動式点滴スタンド台）に関する。
【背景技術】
【０００２】
従来のイルリガードルの座台部は、十字形又は、五角型の各端部にキャスターが付備したもので有った。
【発明の開示】
【発明が解決しようとする課題】
【０００３】
一時的若しくは、不使用時に収集するにスペース（置場）が必要であった問題。
【課題を解決するための手段】
【０００４】
平面型座台を短高トラス体とし、欠如した一辺面袋部に集格納化する。
【発明の効果】
【０００５】
連続集格納できる為スペースを必要とせず整理整頓図れ、何時でも引出せ安全に成る。
【発明を実施するための最良の形態】
【０００６】
病院等諸医療施設。
【実施例】
【０００７】
一実施例をイラスト図で示し説明する。
【０００８】
イルリガードルスタンドの座台１が、図示で解る様に一辺面部が大きく欠く、欠如部２とした袋部形成体で・ポール収め３有し、その部裏面部に干渉しない大きさの補強リブ５を設け、底辺各頂点端部（四個）に全方位型のキャスター４を取付けた、短高な立体（支点a・b・c・d・e）トラス体で有る集格納型イルリガードル台、尚、全方位型キャスターとしたが一般的キャスターで良く拘るものでは無く又、他目的使用品の立脚座台部に応用しても良い。
【産業上の利用可能性】
【０００９】
安全・簡易格納利便性・加工性製品コスト鑑み、医療現場サイドから見て需要は多い。
【図面の簡単な説明】
【００１０】
【図１】座台部現わすイラスト図。
【図２】集格納時の参考資料写図である。
【符号の説明】
【００１１】
１  座台
２  欠如部
３  ポール収め
４  キャスター
５  補強リブ
a.b.c.d.e  支点
【手続補正４】
【補正対象書類名】図面
【補正対象項目名】全図
【補正方法】変更
【補正の内容】
【図１】
2006141958.tif 000004
【図２】
2006141958.tif 000005
【手続補正書】
【提出日】平成17年5月2日(2005.5.2)
【手続補正１】
【補正対象書類名】明細書
【補正対象項目名】０００８
【補正方法】変更
【補正の内容】
【０００８】
イルリガードルスタンドの座台１が、図示で解る様に一辺面部が大きく欠く、欠如部２とした袋部形成体でポール収め３有し、その部裏面部に干渉しない大きさの補強リブ５を設け、底辺各頂点端部（四箇所）に全方位型のキャスター４を取付けた、短高な立体（支点a・b・c・d・e）トラス体で有る集格納型イルリガードル台、尚、全方位型キャスターとしたが一般的キャスターでも良い又、袋部形成体の開口縁端部を外曲げし、補強リブ化や他目的使用品の立脚座台部に応用しても良い。